【事件の表示】
　平成　９年特許願第２３１４１１号「冷蔵庫の冷気供給装置」拒絶査定不服審判事件〔平成１０年　３月３１日出願公開、特開平１０−　８２５７２〕について、次のとおり審決する。
【結　論】
　本件審判の請求は、成り立たない。
【理　由】
１．手続の経緯
　本願は、平成９年８月２７日の出願であって（パリ条約による優先権主張１９９６年８月２７日、韓国）、平成１５年８月１２日付け（発送日：同年８月１９日）で拒絶査定がなされ、これに対し、同年１１月１４日に審判請求がなされるとともに、同日に手続補正がなされたものである。
　
２．平成１５年１１月１４日付け手続補正についての補正却下の決定
　
［補正却下の決定の結論］
　平成１５年１１月１４日付け手続補正を却下する。　
　
［理由］
（１）補正後の請求項１に記載された発明
　本件補正により、特許請求の範囲は、次のとおりに補正された。
　
　「【請求項１】　冷凍室で発生された冷気を冷蔵室に供給する冷蔵室ダクトと、前記冷蔵室に設置された複数個の棚によって区分される各領域に冷気を独立的に供給するため前記冷蔵室ダクトを分岐した複数の冷気ダクトと、前記各領域に設置される多数の温度センサーと、前記冷蔵室ダクトに設置されて前記各領域に供給される冷気を制御する冷気分配装置と、前記温度センサーによって感知された温度値と各領域別に設定された温度値を比べて前記冷気分配装置を制御する制御部とを含んでなり、前記冷気分配装置は前記冷蔵室ダクトを２つの冷気ダクトに分離する垂直分離板と、該垂直分離板と同一軸線上に位置する回転軸に設けられて前記分離された２つの冷気ダクトを開閉する調節板と、前記回転軸に結合したモータとよりなり、前記制御部からの信号により前記モータを介して前記調節板の角度を調節することにより各冷気ダクトに供給される冷気量を調節可能としたことを特徴とする冷蔵庫の冷気供給装置。
　　【請求項２】　冷凍室で発生された冷気を冷蔵室に供給する冷蔵室ダクトと、前記冷蔵室に設置された複数個の棚によって区分される各領域に冷気を独立的に供給するため前記冷蔵室ダクトを分岐した複数の冷気ダクトと、前記各領域に設置される多数の温度センサーと、前記冷蔵室ダクトに設置されて前記各領域に供給される冷気を制御する冷気分配装置と、前記温度センサーによって感知された温度値と各領域別に設定された温度値を比べて前記冷気分配装置を制御する制御部とを含んでなり、前記冷蔵室ダクトは一組の分離板によって中央案内ダクトと、共通案内ダクトと、下部案内ダクトに分離され、上記冷気分配装置は、直径方向の調整板と外周円部分に前記共通案内ダクト及び下部案内ダクトを同時に塞ぐことができる２つの遮断リブを具備して外周円が開口された回転可能な円筒形の冷気分配アセンブリで構成され、該冷気分配アセンブリの回転位置を調節することにより各案内ダクトに供給される冷気量を調節可能としたことを特徴とする冷蔵庫の冷気供給装置。
　　【請求項３】　冷凍室で発生された冷気を冷蔵室に供給する冷蔵室ダクトと、前記冷蔵室に設置された複数個の棚によって区分される各領域に冷気を独立的に分岐して供給するための複数個の冷気吐出孔と、前記各領域に設置される多数の温度センサーと、前記冷蔵室ダクトから上記各領域に供給される冷気を制御する冷気分配装置と、前記、温度センサーによって感知された温度値と各領域別に設定された温度値を比べて前記冷気分配装置を制御する制御部とを含んでなり、前記冷気分配装置は、前記冷蔵室ダクトの前面に上下摺動可能に設けられたスライダーよりなり、該スライダーには前記冷蔵室ダクトの冷気吐出孔を選択開閉可能な選択孔が設けられ、該スライダーの位置を調節することにより各冷気吐出孔から供給される冷気量を調節可能としたことを特徴とする冷蔵庫の冷気供給装置。
　　【請求項４】　冷凍室で発生された冷気を冷蔵室に供給する冷蔵室ダクトと、前記冷蔵室に設置された複数個の棚によって区分される各領域に冷気を独立的に供給するための複数個の冷気吐出孔と、前記各領域に設置される多数の温度センサーと、前記冷蔵室ダクトが冷気ダクトに分岐される地点に設置されて上記各領域に供給される冷気を制御する冷気分配装置と、前記温度センサーによって感知された温度値と各領域別に設定された温度値を比べて上記冷気分配装置を制御する制御部を含んでなり、前記冷気分配装置は、２つの冷気ダクトを開閉する１組のバッフルを備え、該バッフルの一方が全開のときは他方は全閉となり、一方が全閉のときは他方は全開となるように構成され、該バッフルの位置を調節することにより各冷気吐出孔から供給される冷気量を調節可能としたことを特徴とする冷蔵庫の冷気供給装置。」
　
（２）補正の適否
　本件補正前の請求項１ないし４と、本件補正後の請求項３とを比較すると、本件補正により、各領域に冷気を独立的に分岐して供給するための複数個の「分岐ダクト」が「冷気吐出孔」に変更され、また、各領域に供給される冷気を制御する制御手段（補正後の「冷気分配装置」）の設置地点が、「冷気ダクトと分岐ダクトが会う地点」から「冷蔵室ダクトの前面」に変更されている。
　
　したがって、本件補正は、特許請求の範囲の限定的減縮を目的とするものではなく、また、請求項の削除を目的とするものでも、明りょうでない記載の釈明を目的とするものでも、誤記の訂正を目的とするものでもない。
　
　よって、本件補正は、特許法第１７条の２第４項の規定に違反するものであり、特許法第１５９条第１項で読み替えて準用する特許法第５３条第１項の規定により却下すべきものである。
　
３．本願発明について
（１）本願発明
　平成１５年１１月１４日付けの手続補正は上記のとおり却下されたので、本願の請求項１に係る発明（以下、「本願発明」という。）は、同年７月１日付け手続補正書の特許請求の範囲の請求項１に記載されたとおりの次のものである。
　
　「【請求項１】　冷凍室で発生された冷気を冷蔵室に供給する冷気ダクトと、冷蔵室に設置された複数個の棚によって区分される各領域に冷気を独立的に分岐して供給するための複数個の分岐ダクトと、冷蔵室に設置された複数個の棚によって区分される各領域に設置される多数の温度センサーと、上記冷気ダクトと分岐ダクトが会う地点に設置されて独立的に上記各領域に供給される冷気を制御する制御手段と、上記温度センサーによって感知された温度値と各領域別で設定された温度値を比べて上記制御手段を制御する制御部を含んで構成された冷蔵庫の冷気供給装置。」
　
（２）引用例
　原査定の拒絶の理由に引用した特開平５−９３５７１号公報には、図面とともに次の記載がある。
　
・「【０００２】
【従来の技術】強制通風方式の冷蔵庫において、近年、特に冷蔵室内をより均一に冷却する目的で、冷却ダクトを改善した例が増えている。例えば、特開平１−１８９４７７号公報に示される例がそれであり、以下図５に従い説明する。
【０００３】１は冷蔵庫本体で外箱２，内箱３および前記外箱２，内箱３間に充填された断熱材４により構成されている。５は前記冷蔵庫本体１の内部を上下に仕切る区画壁であり、上部に冷凍室６、下部に冷蔵室７を仕切って形成している。冷蔵室７内は棚８によって複数のゾーン９に区画されている。
【０００４】１０は前記冷蔵庫本体１の底部後方に収めた冷凍サイクルの圧縮機である。１１は前記冷凍室６の背面に収めた冷凍サイクルの冷却器であり、１２は前記冷却器１０で冷却した冷気を前記冷凍室９および冷蔵室７に強制通風するための送風機である。
【０００５】１３は前記冷蔵室７に冷気を導くための通風ダクト、１４は前記冷蔵室７の入口に設けて電気的入力で冷気流入量を調節するダンパ装置（以下電動ダンパ１４という）である。１５は前記電動ダンパ１４より前記各ゾーン９に連通する吐出ダクトであり、１６はそれぞれのゾーン９に開口した吐出口である。１７，１８はそれぞれ前記冷凍室６，冷蔵室７内に設けた温度サンサである。」
　
・「【００１１】
【課題を解決するための手段】上記課題を解決するために本発明の冷蔵庫は、ダンパ装置から各ゾーンへの吐出ダクトを第１，第２に二分し、第１の吐出ダクトは各ゾーンに直接連通させ、第２の吐出ダクト内の中間には各ゾーンの吐出口に向けて選択的に風向を切り換える風向切換装置と強制送風用の補助送風機を設けるとともに、各ゾーン内にそれぞれ個別に温度検知手段を設けて、それぞれの温度検知手段の出力に基づいてダンパ装置，風向切換装置および補助送風機を制御する制御手段を付加するものである。
【００１２】
【作用】本発明は上記した構成によって、通常冷却時は第１の吐出ダクトを通じてダンパ装置により冷気量が調節され冷蔵室内全体が所定の温度に冷却される。一方、いずれかのゾーンの温度が上昇すると、温度検知手段が検知してダンパ装置が開放するとともに風向切換装置，補助送風機が作動し、第２の吐出ダクトを介して、そのゾーンの吐出口に向けて選択的に冷気が供給され、集中的に冷却作用が行われる。そして、そのゾーン内の温度が低下すると温度検知手段が検知してダンパ装置が閉塞するものである。」
　
・「【００１３】
【実施例】以下、本発明の一実施例を図１から図４に従い説明する。なお、従来と同一構成については同一符号を付し、その詳細な説明を省略し、異なる部分についてのみ述べる。
【００１４】９ａ，９ｂ，９ｃは冷蔵室７内に区画された各ゾーンであり、１８ａ，１８ｂ，１８ｃはそれぞれ前記各ゾーン９ａ，９ｂ，９ｃ内の一画に設けられた温度検知手段（以下温度センサ１８ａ，１８ｂ，１８ｃという）である。１９は電動ダンパ１４より前記各ゾーン９ａ，９ｂ，９ｃに直接連通する第１の吐出ダクトであり、２０ａ，２０ｂ，２０ｃはそれぞれの第１の吐出口である。
【００１５】２１は前記第１の吐出ダクト１９と並列に配置されて前記各ゾーン９ａ，９ｂ，９ｃに連通する第２の吐出ダクトであり、２２ａ，２２ｂ，２２ｃはそれぞれの第２の吐出口である。２３は前記第２の吐出ダクト２１内の中間に設けた風向切換装置であり、２４は前記電動ダンパ１４と風向切換装置２３の中間に設けた補助送風機である。」
　
・「【００１７】次に制御関係について説明する。２７はマイクロコンピュータなどよりなる制御手段（以下マイクロコンピュータ２７という）であり、前記風向切換装置２３の作動タイムセーフ時間Ｔ（例えば１ｍｉｎ）をカウントするタイマ２８などが内蔵されている。
【００１８】前記マイクロコンピュータ２７の入力端子には冷凍室の温度センサ１７、冷蔵室内の各ゾーンに対応する温度センサ１８ａ，１８ｂ，１８ｃが接続され、出力端子には圧縮機１０，送風機１２，電動ダンパ１４，風向切換装置２３，補助送風機２４とそれらを駆動するための電磁リレーなどの駆動手段が接続されている。」
　
・「【００２３】一方、ＳＴＥＰ７で各ゾーン９ａ，９ｂ，９ｃ内のうち、いずれか一つのゾーンの温度、すなわち温度センサ１８ａ，１８ｂ，１８ｃのいずれかが所定値ｔ5℃より高いか低いかを判断し、低ければＳＴＥＰ３で高くなるまで待機する。ＳＴＥＰ３で温度が高いと判断されると、ＳＴＥＰ８に移り、電動ダンパ１４が開放され、送風機１２および補助送風機２４が同時に運転される。このため第２の吐出ダクトを介して第２の吐出口２２ａ，２２ｂ，２２ｃより各ゾーン９ａ，９ｂ，９ｃ内に連続的に、かつ十分な風量で冷気が強制的に通風される。
【００２４】これと同時にＳＴＥＰ８では、風向切換装置２３が食品の収納などで温度の上昇したゾーン（例えばゾーン９ａとする）の方向に向けて回転し、送風機１２および補助送風機２４によって多量に通風される冷気が、第２の吐出口２２ａを介してゾーン９ａ内に集中的に送り込まれる。そして、新たに収納された食品を短時間で冷却するとともに、ゾーン９ａ内の既存食品の温度上昇を抑制する。」
　
・「【００２７】このように、一つのゾーンのみが例えば食品の収納などで通常の状態よりも大きく温度上昇した場合は、風向切換装置２３によって選択的にそのゾーンのみを連続して集中的に冷却し、複数のゾーンが同時に温度上昇した場合は、所定時間ごと交互に風向切換装置２３で風向を切り換えて自動的に冷却配分されることになる。」
　
　これらの記載及び図面を参照すると、引用例には次の発明が記載されている（以下、「引用例発明」という。）。
　
　「冷凍室で発生された冷気を冷蔵室に供給する通風ダクトと、冷蔵室に設置された複数個の棚によって区分される各ゾーンに冷気を供給するための第１の吐出ダクト及び第２の吐出ダクトと、冷蔵室に設置された複数個の棚によって区分される各ゾーンに設置される多数の温度センサと、上記各領域に供給される冷気を制御する電動ダンパ、及び第２の吐出ダクトに設けた風向切換装置、補助送風機と、上記温度センサによって感知された温度値と各ゾーン別で設定された温度値を比べて上記電動ダンパ、及び第２の吐出ダクトに設けた風向切換装置、補助送風機を制御する制御手段を含んで構成された冷蔵庫の冷気供給装置。」
　
（３）対比
　本願発明と上記引用例発明とを比較する。
　
　引用例発明の「通風ダクト」は本願発明の「冷気ダクト」に相当し、以下同様に「ゾーン」は「領域」に、「温度センサ」は「温度センサー」に、「電動ダンパ、及び第２の吐出ダクトに設けた風向切換装置、補助送風機」は「制御手段」に、また、「制御手段」は「制御部」に相当する。
　
　したがつて、両者は、
　
　「冷凍室で発生された冷気を冷蔵室に供給する冷気ダクトと、冷蔵室に設置された複数個の棚によって区分される各領域に冷気を供給するためのダクトと、冷蔵室に設置された複数個の棚によって区分される各領域に設置される多数の温度センサーと、上記各領域に供給される冷気を制御する制御手段と、上記温度センサーによって感知された温度値と各領域別で設定された温度値を比べて上記制御手段を制御する制御部を含んで構成された冷蔵庫の冷気供給装置。」の点で一致し、
　
　次の点で相違する。
　
　［相違点］
　本願発明は、「各領域に冷気を独立的に分岐して供給するための複数個の分岐ダクト」、及び、「冷気ダクトと分岐ダクトが会う地点に設置されて独立的に各領域に供給される冷気を制御する制御手段」を有するのに対して、引用例発明は、「各領域に冷気を供給するための第１の吐出ダクト及び第２の吐出ダクト」を有するが、本願発明に係る分岐ダクトは有しておらず、また、「各領域に供給される冷気を制御する制御手段（電動ダンパ、及び第２の吐出ダクトに設けた風向切換装置、補助送風機）」を有するが、これらの制御手段は、本願発明のように「冷気ダクトと分岐ダクトが会う地点に設置されて」おらず、「独立的に各領域に供給される冷気を制御する」ものではない点。
　
（４）相違点についての判断
　引用例発明において、第１の吐出ダクト、電動ダンパ、及び第２の吐出ダクトに設けた補助送風機がなくても、各領域に冷気を供給できることから、これらを削除し、第２の吐出ダクトを用いて各領域に冷気を供給するとともに、該第２の吐出ダクトに設けた風向切換装置により各領域に供給される冷気を制御すること、更に、風向切換装置を通風ダクトと第２の吐出ダクトが会う地点に設置することは、当業者が適宜なし得た設計事項である。
　
　また、冷気を分岐ダクトにより供給することが従来周知であることから（例えば、原査定の拒絶の理由で引用した特開平２−２１０７６号公報を参照。）、引用例発明において、風向切換装置で風向を切換えた冷気を複数個の分岐ダクトにより独立して各領域に供給することは、当業者が容易に想到し得たことである。
　
　したがつて、引用例発明において、上記相違点に係る本願発明の構成を得ることは、当業者が容易になし得たことである。
　
　そして、本願発明の作用効果も、引用例に記載された事項、及び周知技術から当業者が予測できる範囲のものである。
　
　したがって、本願発明は、引用例に記載された発明、及び、周知技術に基づいて、当業者が容易に発明をすることができたものである。
　
（５）むすび
　以上のとおり、本願発明は、引用例に記載された発明、及び、周知技術に基づいて、当業者が容易に発明をすることができたものであるから、特許法第２９条第２項の規定により特許を受けることができない。
　
　よって、結論のとおり審決する。